(57)【要約】  【課題】アレーアンテナ等の付属アンテナをテレビ本体に内蔵し、付属アンテナをテレビ内の導電体から離すことができ、かつ付属アンテナの設置によって携帯性を損なうことのないテレビ放送受信システムを提供する。  【解決手段】付属アンテナを用いてテレビ放送を受信してテレビ番組を表示するテレビ放送受信システムであって、テレビ番組を表示する表示部１３と、付属アンテナを含み、表示部１３より上部に位置して、テレビ放送の受信時に、付属アンテナを浮上させるアンテナ部１６とを備える（図１（ａ）は電源ＯＦＦ時、図１（ｂ）は電源ＯＮ時）。  【選択図】  図１
2005244888.tif 000002
【特許請求の範囲】
【請求項１】
付属アンテナを用いてテレビ放送波を受信してテレビ番組を表示するテレビ放送受信システムであって、
テレビ番組を表示する表示部と、
前記付属アンテナを含み、表示部より上部に位置して、テレビ放送の受信時に、当該付属アンテナを浮上させるアンテナ部と
を備えることを特徴とするテレビ放送受信システム。
【請求項２】
前記アンテナ部は、
テレビ放送の受信時に空気が送り込まれることにより広がり、外形を上方向に膨らませる空洞を内部に有し、前記付属アンテナは当該空洞より上部に位置すること
を特徴とする請求項１に記載のテレビ放送受信システム。
【請求項３】
前記アンテナ部に送り込まれる空気は、前記表示部を冷却するためのファンから送り込まれること
を特徴とする請求項２に記載のテレビ放送受信システム。
【請求項４】
前記アンテナ部は、
空気より比重が軽いガスを充填したオブジェであること
を特徴とする請求項１に記載のテレビ放送受信システム。
【請求項５】
テレビ放送受信システムは、さらに、
前記表示部を冷却するための空気を送り込むファンを備え、
前記アンテナ部は、
前記ファンにより、前記表示部を冷却するために送り込まれて、廃熱を含んだ空気が充填されるオブジェであること
を特徴とする請求項１に記載のテレビ放送受信システム。
【請求項６】
前記付属アンテナは、アレーアンテナであり、
テレビ放送波を受信して無線信号を出力する１つの給電素子と、
それぞれに供給される設定信号の値に応じてリアクタンス値が可変する１つ以上の可変リアクタンス素子と、
前記可変リアクタンス素子と同数であり、それぞれが、前記給電素子より所定の間隔だけ離して設けられ、当該可変リアクタンス素子のそれぞれに接続され、接続された可変リアクタンス素子のリアクタンス値が可変することにより、導波器又は反射器として動作して、アレーアンテナの指向特性を変化させる無給電素子と、
前記可変リアクタンス素子のリアクタンス値を変化させるための制御手段とを含むこと
を特徴とする請求項１〜５の何れか１項に記載のテレビ放送受信システム。
【発明の詳細な説明】
【技術分野】
【０００１】
本発明は、付属アンテナを用いてテレビ放送を受信してテレビ番組を表示するテレビ放送受信システムに関し、特に、付属アンテナの配置方法に関する。
【背景技術】
【０００２】
近年、液晶やＰＤＰなどの薄型省スペースのテレビ受像機の普及が進んでいる。
ここで１５型程度以下の液晶テレビは、特に軽量でコンパクトなので、利用者が頻繁に移動して使用する機会が多くなってきている。
例えば、家の中でテレビ受像機を移動して使用する場合、移動先でテレビ受像機本体に電源コンセントとアンテナ端子とを接続しなければならないのであるが、電源コンセントに較べアンテナ端子は設置数が少ないため、移動場所が制限される。
【０００３】
また野外にテレビ受像機を移動して使用する場合には、電源はバッテリ駆動とすることができるが、普通アンテナ端子は野外にはない。
そこで、テレビ受像機を気軽に移動したり野外で使用する場合には、携帯アンテナを用いるか、あるいはアンテナを内蔵する方法が有効である（以下、テレビ受像機に付属する専用の携帯アンテナ、及び、テレビ受像機に内蔵されるアンテナを「付属アンテナ」という）。付属アンテナには、小型軽量であり、比較的コストが安く、バッテリ駆動に耐えうる低消費電力動作であることが要求される。
【０００４】
特許文献１、非特許文献１〜３に、上記要求を満たす電子制御導波器アレーアンテナ装置が開示されている。
また、特願２００３−１６６８４８号に、特許文献１、非特許文献１〜３に記載された電子制御導波器アレーアンテナ装置に比較して、ハードウエア構造が簡単であり、簡単な制御で大きなダイバーシティ利得を得ることができるアレーアンテナ装置が記載されている。
【０００５】
なお、携帯性を考えると、上記のようなアレーアンテナをテレビ受像機本体に内蔵する方が望ましい。
また、テレビ放送の放送波は水平偏波なので、アレーアンテナの各素子をある程度水平に設置しなければ有効に機能しない。
【特許文献１】特開２００２−１１８４１４号公報
【非特許文献１】T. Ohira et al., "Electronically steerable passive array radiator antennas for low-cost analog adaptive beamforming,"2000 IEEE InternationalConference on Phased Array System & Technology pp. 101-104,Dana point,California, May 21-25, 2000。
【非特許文献２】大平孝ほか，“エスパアンテナの透過ウエイトベクトルとその勾配に関する基本的定式化”，電子情報通信学会技術研究報告，ＡＰ２００１−１６，ＳＡＴ２００１−３，ｐ．１５−２０，２００２年５月。
【非特許文献３】大平孝ほか，“エスパアンテナの透過ウエイトベクトルとアレーファクタ表現式”，電子情報通信学会技術研究報告，ＡＰ２０００−４４，ｐ．７−１４，２００２年７月。
【非特許文献４】A. J. Rustako et al., "Performance of feedback and switch space diversity 900 MHz FM mobile radio systems with Rayleigh fading", IEEE Transactions on Communication, Vol. COM-21, pp.1257-1268, Nov. 1973。
【非特許文献５】A. Afrashteh et al., "Performance of a novel selection diversity technique in an experimental TDMA system for digital portable radio communications", Conference Record Globecom '88 Hollywood, pp.810-814, Nov. 1988。
【非特許文献６】Y. Akaiwa, "Antenna selection diversity for framed digital signal transmossion in mobile radio channel", Proceeding of 39th IEEE Vehicle Technology Conference, pp.470-473, 1989。
【発明の開示】
【発明が解決しようとする課題】
【０００６】
アレーアンテナをテレビ受像機本体に内蔵する場合には、アレーアンテナは導電体に近いと受信効率が悪いので、ある程度アレーアンテナをテレビ受像機内の導電体から離す必要がある。ところが、上記薄型省スペースのテレビ受像機は省スペースであるがゆえに、テレビ受像機内の導電体から離れたスペースをアレーアンテナの為に確保することは難しく、またアレーアンテナをテレビ受像機内の導電体から離す為に、テレビ受像機本体を過度に大きくすることは、携帯性を損ない本末転倒となるのでできるだけ避けたい。
【０００７】
そこで本発明は、アレーアンテナ等の付属アンテナをテレビ受像機内の導電体から離すことができ、かつ付属アンテナの設置によって携帯性を損なうことのないテレビ放送受信システムを提供することを目的とする。
【課題を解決するための手段】
【０００８】
上記目的を達成するために、本発明に係るテレビ放送受信システムは、付属アンテナを用いてテレビ放送波を受信してテレビ番組を表示するテレビ放送受信システムであって、テレビ番組を表示する表示部と、前記付属アンテナを含み表示部より上部に位置してテレビ放送の受信時に当該付属アンテナを浮上させるアンテナ部とを備えることを特徴とする
【発明の効果】
【０００９】
課題を解決するための手段に記載した構成により、テレビ放送の受信時に、表示部の上部に位置する付属アンテナを浮上させることができる。
従って、テレビ放送の受信時はアレーアンテナをテレビ受像機内の導電体から離すことができ、かつ受信時以外はアレーアンテナの設置によって携帯性がそれほど損なわれない。
【００１０】
携帯端末装置において、前記アンテナ部は、テレビ放送の受信時に空気が送り込まれることにより広がり、外形を上方向に膨らませる空洞を内部に有し、前記付属アンテナは当該空洞より上部に位置することを特徴とすることもできる。
これにより、テレビ放送の受信時に、空洞に空気が送り込まれ、付属アンテナを浮上させるので、付属アンテナをテレビ受像機内の導電体から離すことができる。
【００１１】
携帯端末装置において、前記アンテナ部に送り込まれる空気は前記表示部を冷却するためのファンから送り込まれることを特徴とすることもできる。
これにより、ファンが、テレビ放送の受信時に表示部を冷却しつつアンテナ部に空気を送り込むという２つの役割を果たすので、効率的である。
携帯端末装置において、前記アンテナ部は、空気より比重が軽いガスを充填したオブジェであることを特徴とすることもできる。
【００１２】
これにより、付属アンテナを空気より比重が軽いガスにより浮遊させるので、付属アンテナをテレビ受像機内の導電体から離すとともに、利用者に視覚的に影響を与え、浮遊物の形や色彩を利用者の趣味や嗜好等に合わせることにより、装飾的効果や癒しあるいは遊びの効果等が期待できる。
携帯端末装置において、テレビ放送受信システムは、さらに、前記表示部を冷却するための空気を送り込むファンを備え、前記アンテナ部は、前記ファンにより前記表示部を冷却するために送り込まれて、廃熱を含んだ空気が充填されるオブジェであることを特徴とすることもできる。
【００１３】
これにより、付属アンテナを、ファンにより充填される、外気よりも暖かく、かつ比重が軽い空気により浮遊させるので、付属アンテナをテレビ受像機内の導電体から離すとともに、利用者に視覚的に影響を与え、浮遊物の形や色彩を利用者の趣味や嗜好等に合わせることにより、装飾的効果や癒しあるいは遊びの効果等が期待できる。
携帯端末装置において、前記付属アンテナはアレーアンテナであり、テレビ放送波を受信して無線信号を出力する１つの給電素子と、それぞれに供給される設定信号の値に応じてリアクタンス値が可変する１つ以上の可変リアクタンス素子と、前記可変リアクタンス素子と同数であり、それぞれが前記給電素子より所定の間隔だけ離して設けられ、当該可変リアクタンス素子のそれぞれに接続され、接続された可変リアクタンス素子のリアクタンス値が可変することにより導波器又は反射器として動作して、アレーアンテナの指向特性を変化させる無給電素子と、前記可変リアクタンス素子のリアクタンス値を変化させるための制御手段とを含むことを特徴とすることもできる。
【００１４】
これにより、従来よりも、ハードウエア構造が簡単であり、簡単な制御で大きなダイバーシティ利得を得ることができる。
【発明を実施するための最良の形態】
【００１５】
（実施の形態１）
＜概要＞
本発明の実施の形態１は、液晶やＰＤＰなどの薄型省スペースのテレビ受像機本体の上部に備えられた付属アンテナが、テレビ放送の受信時に浮上してテレビ受像機から離れ、テレビ放送の受信時以外にはアンテナ部がテレビ受像機本体に近接するという特徴を持つテレビ放送受信システムである。
【００１６】
より詳しくは、表示部よりも上部に、空気が送り込まれることにより広がり、外形を上方向に膨らませる空洞を備え、付属アンテナは空洞より上部に位置し、テレビ放送の受信時には、空洞に空気が送り込まれて付属アンテナを浮上させ、テレビ放送の受信時以外には空気が抜けて外形がコンパクトになるというものである。
＜構成＞
図１（ａ）は、本発明の実施の形態１におけるテレビ放送受信システムの電源ＯＦＦ時の外観を示す図であり、図１（ｂ）は、テレビ放送受信システムの電源ＯＮ時の外観を示す図である。
【００１７】
テレビ放送受信システムの上部に、付属アンテナを含むアンテナ部１６が配置されており、図１（ａ）に示すように、電源ＯＦＦ時にはテレビ放送受信システム本体からさほど突出しておらず、電源ＯＮ時にはテレビ放送受信システム本体から上方向に突出している。
図２は、本発明の実施の形態１におけるテレビ放送受信システムの概略構成を示す図である。
【００１８】
本実施の形態１のテレビ放送受信システムは、例えば、特願２００３−１６６８４８号に記載されたアレーアンテナを付属アンテナとして内蔵する液晶やＰＤＰなどのテレビ受像機であって、図２に示すように、操作部１１、受信部１２、表示部１３、冷却部１４、送風部１５、アンテナ部１６、及びアンテナ制御部１７を備える。
操作部１１は、本体前面に配置されたスイッチやリモコン等であり、利用者からの各種操作を受け付ける。
【００１９】
受信部１２は、復調器等のテレビ放送の受信に関わる部分であり、アンテナ部１６及びアンテナ制御部１７を用いてテレビ放送を受信し、テレビ番組を表示部１３に表示させる。
表示部１３は、液晶パネルやＰＤＰの発光部等であり、主にテレビ番組を表示する。
冷却部１４は、ファン等により送風することによって表示部１３を冷却するものである。
【００２０】
送風部１５は、テレビ放送の受信時に冷却部１４からの送風をアンテナ部１６に導き、テレビ放送の受信時以外のときにはアンテナ部１６への送風を止める。例えば冷却部１４は、冷却部１４を電源ＯＮ時には自動的にファンが回り電源ＯＦＦ時には自動的にファンが止まるように設計した場合には、単にファンによる送風をアンテナ部１６へ導くだけの機能を備えたダクトでよい。なお、電源ＯＦＦ時であっても表示部１３が十分冷却されるまではファンが回るように設計した場合や、録画した番組を表示している時などを考慮して、ファンが回っていてテレビ放送を受信していないときには送風を遮る機能を持つ弁等を備えてもよい。
【００２１】
アンテナ部１６は、詳しくは後述するが、空気が送り込まれることにより内部の空洞が広がり、外形が上方向に膨らむ構造を持ち、付属アンテナ１８が空洞より上部に位置し、テレビ放送の受信時に付属アンテナ１８を浮上させる。
図３は、アンテナ制御部１７、及び付属アンテナ１８の詳細な構成を示す図である。
付属アンテナ１８は、例えば、上記特願２００３−１６６８４８号の第３の実施例（図９）に記載されたアレーアンテナであり、図３に示すように、アンテナ基板１９、第１可変リアクタンス素子２０、第２可変リアクタンス素子２１を含む。
【００２２】
図４は、アンテナ基板１９の主要な寸法を示す図である。
アンテナ基板１９は、誘電体基板２２、矩形接地導体２３、マイクロストリップ線路２４〜２６、給電素子２７、無給電素子２８、及び無給電素子２９を含む。
誘電体基板２２の裏面に矩形接地導体２３が形成され、誘電体基板２２の表面に３本のマイクロストリップ線路２４〜２６が形成されている。
【００２３】
ここでλｇを受信すべきターゲットである放送波の管内波長とするとき、矩形接地導体２３の上下方向の長さはλｇ／２である。
またλを当該放送波の自由空間波長とするとき、各マイクロストリップ線路は互いに平行に０．１λ〜０．３５λだけ離間して配置され、各マイクロストリップ線路の先端のλ／４の長さを、裏面に矩形接地導体２３が形成されていない部分まで延在させている。ここで、真ん中のマイクロストリップ線路２４の延在部分が給電素子２７、両端のマイクロストリップ線路２５、２６の延在部分が、それぞれ無給電素子２８、無給電素子２９である。
【００２４】
例えば誘電体基板２２は、ＢＴレジンや熱硬化ＰＰＯ等の高周波用プリント基板であり、比誘電率εｒ＝３．４、誘電体損失ｔａｎδ＝０．００３であり、誘電体基板２２の厚さは０．６ｍｍである。
ここで、矩形接地導体２３、マイクロストリップ線路２４〜２６、給電素子２７、無給電素子２８、及び無給電素子２９の材料はＡｕであり、デジタル地上波をターゲットとするとλは５０ｃｍ程度である。またマイクロストリップ線路２４〜２６、給電素子２７、無給電素子２８、及び無給電素子２９の幅は、マイクロストリップ線路の特性インピーダンスが５０Ωとなる１．４２ｍｍである。
【００２５】
第１可変リアクタンス素子２０、第２可変リアクタンス素子２１は、例えば可変容量ダイオードであり、それぞれの容量が、外部より供給される電圧によって制御される。
アンテナ制御部１７は、例えば、上記特願２００３−１６６８４８号の第１の実施例（図１）に記載されたアレーアンテナの制御装置であり、図３に示すように、低雑音増幅器３０、ダウンコンバータ３１、Ａ／Ｄ変換器３２、及びアンテナコントローラ３３を含む。
【００２６】
ここで給電素子２７はマイクロストリップ線路２４及び同軸ケーブル３６を介して低雑音増幅器３０に接続されかつＧＮＤとは絶縁され、無給電素子２８はマイクロストリップ線路２５及び第１可変リアクタンス素子２０を介してＧＮＤに接続されて高周波接地され、無給電素子２９はマイクロストリップ線路２６及び第２可変リアクタンス素子２１を介してＧＮＤに接続されて高周波接地され、また第１可変リアクタンス素子２０及び第２可変リアクタンス素子２１の各リアクタンス値はそれぞれ、アンテナコントローラ３３から第１ペアケーブル３５及び第２ペアケーブル３６を介して伝送される各電圧（以下、「リアクタンス設定信号」という）により設定される。
【００２７】
低雑音増幅器３０は、付属アンテナ１８により受信された無線信号を増幅する。
ダウンコンバータ３１は、低雑音増幅器３０により増幅された無線信号を低域変換して中間周波数のアナログ信号であるＩＦ信号を生成する。
Ａ／Ｄ変換器３２は、ダウンコンバータ３１により生成されたＩＦ信号をＡＤ変換してディジタル信号である受信信号ｙを生成する。
【００２８】
Ａ／Ｄ変換器３２により生成された受信信号ｙは、アンテナコントローラ３３に入力されるとともに、受信部１２内の復調器に入力されて復調される。
アンテナコントローラ３３は、Ａ／Ｄ変換器３２により生成された受信信号ｙに基づいて、上記各リアクタンス設定信号を調整して第１可変リアクタンス素子２０及び第２可変リアクタンス素子２１の各リアクタンス値を設定するものであり、予め測定しておいた所定値以上のダイバーシティ利得が得られかつ付属アンテナ１８の入力インピーダンスが実質的に変化しない複数の状態のそれぞれに対応するリアクタンス設定信号のセットの中から、受信信号ｙが一番大きくなるセットを選択する。
【００２９】
図５は、実施の形態１における第１可変リアクタンス素子２０、及び第２可変リアクタンス素子２１へ供給する制御電圧に対するリアクタンス値、及び入力インピーダンス値を示す図である。
ここで、上記リアクタンス設定信号のセットは、例えば以下のように設定される。
図５に示すように、入力インピーダンスＺｉｎが実質的に変化しない２つの状態Ｐ１、Ｐ２を予め測定して求め、この２つの状態Ｐ１、Ｐ２のそれぞれに対応するリアクタンス設定信号のセットを、アンテナコントローラ３３内のメモリに格納しておき、受信信号ｙが大きい方のセットを選択する。
【００３０】
ここで第１可変リアクタンス素子２０は、インダクタンス性を有するときには延長コイルとなり、無給電素子２８の電気長が給電素子２７よりも長くなり、無給電素子２８は反射器として働く。
一方、第１可変リアクタンス素子２０は、キャパシタンス性を有するときには短縮コンデンサとなり、無給電素子２８の電気長が給電素子２７よりも短くなり、無給電素子２８は導波器として働く。
【００３１】
また、このような特性は給電素子２７と無給電素子２９との間にも同様に成り立つ。
従って、アンテナコントローラ３３が上記各リアクタンス設定信号を変化させて第１可変リアクタンス素子２０及び第２可変リアクタンス素子２１の各リアクタンス値を変化させることにより、付属アンテナ１８の平面指向特性を変化させることができる。
なお、ここでリアクタンス値の切り換え方のアルゴリズムとしては、非特許文献４に記載されているような、単一の受信回路でアンテナを切り換えるアンテナ切り換えダイバーシティ方式や、非特許文献５及び６に記載されているような、アンテナ選択ダイバーシティ方式を用いることができる。
【００３２】
図６（ａ）は、テレビ放送の受信時以外のアンテナ部１６の詳細な構造の断面の一例を示す図である。
図６（ｂ）は、テレビ放送の受信時のアンテナ部１６の詳細な構造の断面の一例を示す図である。
図６（ａ）、（ｂ）に示すように、アンテナ部１６は、外郭３９が樹脂などで生成され上下方向に伸縮自在な蛇腹構造であり、その内部の空洞にゴムなどの伸縮性を備える素材で作られたバルーン３７が置かれ、外郭３９の上面には付属アンテナ１８が張り付けられ、付属アンテナ１８に接続された同軸ケーブル３６、第１ペアケーブル３７及び第２ペアケーブル３８が下面から出ている。
【００３３】
ここで、図６（ａ）では、バルーン３７に空気が送り込まれないので、外郭３９が萎んだ状態であり、図６（ｂ）では、バルーン３７に空気が送り込まれるので、バルーン３７が膨らんで外郭３９の外壁を押し、外郭３９が上下方向に延びて付属アンテナ１８を浮上させている。
なお、付属アンテナ１８は、アンテナの受信特性及び携帯性を考慮すると、図６（ａ）、（ｂ）に示すように、テレビ受像機の上面における長手方向とアンテナ基板１９の長手方向とを一致させ、かつアンテナ基板１９を水平に設置するとよいと考えられるが、設置場所に余裕がある等、携帯性に問題が生じない場合には、地面とある程度水平でありさえすれば、どの様に設置しても構わない。
【００３４】
また、本実施の形態１及び以下の各実施の形態では、第１可変リアクタンス素子２０及び第２可変リアクタンス素子２１をアンテナ基板１９上に搭載せずに外付けにしたが、アンテナ基板１９上に搭載してもよい。
＜動作例＞
図７は、本発明の実施の形態１のテレビ放送受信システムにおいて、テレビ受像機の電源がＯＮ、ＯＦＦする時のアンテナ部等の動作の手順を示す図である。
【００３５】
以下に、図７を用いて、テレビ受像機の電源がＯＮ、ＯＦＦする時のアンテナ部等の動作の手順を説明する。
（１）利用者がテレビ受像機の電源スイッチを入れるまで待つ（ステップＳ１）。ここでテレビ受像機の電源がＯＦＦの状態では、冷却部１４のファンは回っていないので、アンテナ部１６は萎んだ状態である。
【００３６】
（２）テレビ受像機の電源スイッチが入ると、冷却部１４のファンが回り、送風部１５によりアンテナ部１６の空洞へ空気が送り込まれ、空洞が広がってアンテナ部１６が膨らむ（ステップＳ２）。
（３）アンテナ部１６が膨らむことにより、付属アンテナ１８が受像機本体より離れ、受信部１２が、アンテナ制御部１７及び付属アンテナ１８を用いてテレビ放送を受信し、テレビ番組を表示部１３に表示させる（ステップＳ３）。
【００３７】
（４）利用者がテレビ受像機の電源スイッチを切るまで待つ（ステップＳ４）。
（５）テレビ受像機の電源スイッチが切られると、冷却部１４のファンが止まり、空洞が狭まってアンテナ部１６が縮む（ステップＳ５）。
なお、アンテナ部１６の形状は、本実施の形態１とは異なる別の形状であってもよい。例えば、アンテナ部１６を野球ファン用にドーム球場の形にするなど、形や色彩を利用者の趣味や嗜好等に合わせることにより、装飾的効果や癒しあるいは遊びの効果等を期待することもできる。
【００３８】
また、アンテナコントローラ３３が、各リアクタンス値を設定したのと同様の方法により、Ａ／Ｄ変換器３２により生成された受信信号ｙに基づいて、アンテナ部１６の膨らまし加減を、受信状態の良い所に合わせてもよい。
また、実施の形態１ではアンテナ部１６をテレビ受像機本体の上部に配置したが、テレビ受像機本体の下部に配置してもよい。
【００３９】
＜変形例＞
図８（ａ）は、テレビ放送の受信時以外のアンテナ部１６の詳細な構造の断面の他の一例を示す図である。
図８（ｂ）は、テレビ放送の受信時のアンテナ部１６の詳細な構造の断面の他の一例を示す図である。
【００４０】
図８（ａ）、（ｂ）に示すように、アンテナ部１６はゴムなどの伸縮性を備える素材で作られたバルーン３８で作られ、バルーン３８の上面には付属アンテナ１８が埋め込まれ、付属アンテナ１８に接続された同軸ケーブル３４、第１ペアケーブル３５及び第２ペアケーブル３６が下側へ出ている。
ここで、図８（ａ）では、バルーン３８に空気が送り込まれずに萎んだ状態であり、図８（ｂ）では、バルーン３８に空気が送り込まれて膨らんで付属アンテナ１８を浮上させている。
【００４１】
＜まとめ＞
以上のように、本実施の形態１によれば、電源ＯＦＦ時にはアンテナ部１６が縮み、電源ＯＮ時にはアンテナ部１６が膨らんで付属アンテナを浮上させることができるので、付属アンテナ１８がテレビ受像機本体より離れることにより受信効率を良くすることができ、かつ、携帯性は損なわれない。
【００４２】
また、冷却部１４のファンが、テレビ放送の受信時に表示部１３を冷却しつつアンテナ部１６に空気を送り込むという２つの役割を果たすので、効率的である。
（実施の形態２）
＜概要＞
図９に示す本発明の実施の形態２は、液晶やＰＤＰなどの薄型省スペースのテレビ受像機の上部に、付属アンテナと、付属アンテナを風圧により浮遊させるファンとを備え、テレビ放送の受信時にはファンが回り付属アンテナがテレビ受像機から離れ、テレビ放送の受信時以外にはファンが止まり付属アンテナがテレビ受像機に近接するという特徴を持つテレビ放送受信システムである。
【００４３】
＜構成＞
本発明の実施の形態２におけるテレビ放送受信システムは、実施の形態１のアンテナ部１６をアンテナ部４１に置き換えた構成であり、付属アンテナを浮上させる手段が異なる。
なお、実施の形態１のテレビ放送受信システムと同様の構成要素には同一番号を付し、その説明を省略する。
【００４４】
図９（ａ）は、テレビ放送の受信時以外のアンテナ部４１の詳細な構造の一例を示す図である。
図９（ｂ）は、テレビ放送の受信時のアンテナ部４１の詳細な構造の一例を示す図である。
図９（ａ）、（ｂ）に示すように、アンテナ部４１は、薄くて軽いフィルム状の付属アンテナ１８、及びテレビ放送の受信時に回転して風圧により付属アンテナ１８を浮上させるファン４２を含む。
【００４５】
ここで、浮遊する付属アンテナ１８とテレビ受像機本体とは、少なくとも同軸ケーブル３４、第１ペアケーブル３５、及び第２ペアケーブル３６で繋がっている。
なお、本発明の実施の形態２のテレビ放送受信システムにおいて、テレビ受像機の電源がＯＮ、ＯＦＦする時のアンテナ部等の動作の手順は実施の形態１と同様なので、その説明を省略する。
【００４６】
＜まとめ＞
以上のように、本実施の形態２によれば、電源ＯＮ時にはアンテナ部４１のファン４２が付属アンテナ１８が浮遊させ、電源ＯＦＦ時にはアンテナ部４１のファン４２が止まり付属アンテナ１８が浮遊しないので、付属アンテナ１８がテレビ受像機本体より離れることにより受信効率を良くすることができ、かつ、携帯性は損なわれない。
【００４７】
なお、本実施の形態２では付属アンテナ１８が浮遊することとしたが、付属アンテナ１８を含む別の形状のものを浮遊させてもよい。例えば、浮遊物を鳥や模型飛行機の形にするなど、形や色彩を利用者の趣味や嗜好等に合わせることにより、装飾的効果や癒しあるいは遊びの効果等を期待することもできる。
（実施の形態３）
＜概要＞
図１０に示す本発明の実施の形態３は、液晶やＰＤＰなどの薄型省スペースのテレビ受像機の上部に、付属アンテナを内蔵し空気より比重が軽いガスを充填して、飛行船のように浮遊するオブジェを備えるテレビ放送受信システムである。
【００４８】
＜構成＞
本発明の実施の形態３におけるテレビ放送受信システムは、実施の形態１のアンテナ部１６をアンテナ部５１に置き換えた構成であり、付属アンテナを浮上させる手段が異なる。
なお、実施の形態１のテレビ放送受信システムと同様の構成要素には同一番号を付し、その説明を省略する。
【００４９】
図１０（ａ）は、アンテナ収納時のアンテナ部５１の構造の一例を示す図である。
図１０（ｂ）は、アンテナ設置時のアンテナ部５１の構造の一例を示す図である。
図１０（ａ）、（ｂ）に示すように、アンテナ部５１は、オブジェ部５２、ガス充填部５３、及びガス管５４を含む。
オブジェ部５２は、例えばヘリウムガス等の空気より比重が軽いガスを充填することにより空中に漂うオブジェであり、例えば図１０（ｂ）に示すように飛行船の形であり、内部に付属アンテナ１８を含む。
【００５０】
ガス充填部５３は、利用者の指示に従い、オブジェ部５２に上記ガスを充填したり、オブジェ部５２から上記ガスを回収又は排気するものである。ここで、電源をＯＮするとガスを充填し、電源をＯＦＦする度に上記ガスを回収又は排気することもできるが、ガスを充填や回収又は排気には多少の時間がかかったり、ガスを完全に回収することは難しいのでガスが減ってしまうことを考慮して、持ち運びなどの為に利用者が特に指示した時にのみ、ガスを充填したり回収又は排気する方が現実的である。
【００５１】
ここで、空中に漂うオブジェ部５２とテレビ受像機本体とは、少なくとも同軸ケーブル３４、第１ペアケーブル３５、第２ペアケーブル３６、及びガス管５４で繋がっている。
＜動作例＞
図１１は、図１０に示した本発明の実施の形態３のテレビ放送受信システムにおいて、持ち運びなどの際のアンテナ部等の動作の手順を示す図である。
【００５２】
以下に、図１１を用いて、持ち運びなどの際のアンテナ部等の動作の手順を説明する。
（１）オブジェ部５２にガスが充填されていない状態において、ガス充填部５３が、利用者からアンテナを設置する指示を受けるまで待つ（ステップＳ１１）。ここでオブジェ部５２にガスが充填されていない状態においては、オブジェ部５２は浮遊していない。
（２）利用者からアンテナを設置する指示があると、ガス充填部５３が、オブジェ部５２にガスを充填することにより、オブジェ部５２が空中に漂う（ステップＳ１２）。
【００５３】
（３）オブジェ部５２にガスが充填されている状態において、ガス充填部５３が、利用者からガスを追加する指示を受けるまで待つ（ステップＳ１３）。
（４）利用者からガスを追加する指示があると、ガス充填部５３が、オブジェ部５２にガスを追加する（ステップＳ１４）。
（５）オブジェ部５２にガスが充填されている状態において、ガス充填部５３が、利用者からアンテナを収納する指示を受けるまで待つ（ステップＳ１５）。
【００５４】
（６）利用者からアンテナを収納する指示があると、ガス充填部５３が、オブジェ部５２からガスを回収又は排気することにより、オブジェ部５２が収納される（ステップＳ１６）。
＜まとめ＞
以上のように、本実施の形態３によれば、アンテナ設置時には付属アンテナ１８を含むオブジェ部５２が空中に漂い、アンテナ収納時にはオブジェ部５２が収納されるので、付属アンテナ１８がテレビ受像機本体より離れることにより受信効率を良くすることができ、かつ、携帯性は損なわれない。
【００５５】
なお、本実施の形態３では、ガス充填部５３がテレビ放送受信システムに内蔵され、ガス充填部５３が利用者からの指示に従ってガスを充填、追加、回収、排気等を行うこととしたが、ガス充填部５３は内蔵されていなくてもよい。例えば利用者が、携帯用のガス充填器を持ち歩き、アンテナ設置時にオブジェ部５２にガスを充填し、アンテナ収納時にオブジェ部５２からガスを抜いてもよい。
【００５６】
また、オブジェ部５２を、鳥や模型飛行機の形にするなど、形や色彩を利用者の趣味や嗜好等に合わせることにより、装飾的効果や癒しあるいは遊びの効果等を期待することもできる。
特に本実施の形態３によればオブジェ部５２がテレビ受像機周辺の空気の動きによってフワフワと浮遊するので装飾効果などを高めることができる。
（実施の形態４）
＜概要＞
図１２に示す本発明の実施の形態４は、液晶やＰＤＰなどの薄型省スペースのテレビ受像機の上部に、付属アンテナを内蔵し暖かい空気が充填され、熱気球のように浮遊するオブジェを備えるテレビ放送受信システムである。
【００５７】
＜構成＞
本発明の実施の形態４におけるテレビ放送受信システムは、実施の形態１のアンテナ部１６をアンテナ部６１に置き換えた構成であり、付属アンテナを浮上させる手段が異なる。
なお、実施の形態１のテレビ放送受信システムと同様の構成要素には同一番号を付し、その説明を省略する。
【００５８】
図１２（ａ）は、アンテナ収納時のアンテナ部６１の構造の一例を示す図である。
図１２（ｂ）は、アンテナ設置時のアンテナ部６１の構造の一例を示す図である。
図１２（ａ）、（ｂ）に示すように、アンテナ部６１は、オブジェ部６２、及び送風管６３を含む。
オブジェ部６２は、外気よりも暖かく、かつ比重が軽い空気を充填することにより空中に漂うオブジェであり、例えば図１２（ｂ）に示すように熱気球の形であり、付属アンテナ１８を含む。
【００５９】
送風管６３は、ＰＤＰなどから構成された１３を冷却するための冷却部１４を通って暖められた暖かい空気をオブジェ部６２に送るチューブである。
ここで、空中に漂うオブジェ部６２とテレビ受像機本体とは、少なくとも同軸ケーブル３４、第１ペアケーブル３５、第２ペアケーブル３６、及び送風管６３で繋がっている。
なお、本発明の実施の形態４のテレビ放送受信システムにおいて、テレビ受像機の電源がＯＮ、ＯＦＦする時のアンテナ部等の動作の手順は実施の形態１と同様なので、その説明を省略する。
【００６０】
＜まとめ＞
以上のように、本実施の形態４によれば、電源ＯＮ時には付属アンテナ１８を含むオブジェ部６２が空中に漂い、電源ＯＦＦ時にはオブジェ部６２が収納されるので、付属アンテナ１８がテレビ受像機本体より離れることにより受信効率を良くすることができ、かつ、携帯性は損なわれない。
【００６１】
また、冷却部１４のファンが、テレビ放送の受信時に表示部１３を冷却しつつオブジェ部６２に空気を送り込むという２つの役割を果たすので、効率的である。
なお、オブジェ部６２を、鳥や模型飛行機の形にするなど、形や色彩を利用者の趣味や嗜好等に合わせることにより、装飾的効果や癒しあるいは遊びの効果等を期待することもできる。
【産業上の利用可能性】
【００６２】
本発明は、液晶やＰＤＰなどの薄型省スペースのテレビ受像機に利用することができる。
特に、利用者がテレビ受像機を頻繁に移動して使用する場合に有効であり、その利用価値は高い。
また、薄型省スペースのテレビ受像機だけでなく、あらゆるテレビ受像機に利用することができる。
【００６３】
また、無線ＲＡＮ等の無線通信を行うパソコンに利用することもできる。
【図面の簡単な説明】
【００６４】
【図１】図１（ａ）は、本発明の実施の形態１におけるテレビ放送受信システムの電源ＯＦＦ時の外観を示す図であり、図１（ｂ）は、テレビ放送受信システムの電源ＯＮ時の外観を示す図である。
【図２】本発明の実施の形態１におけるテレビ放送受信システムの概略構成を示す図である。
【図３】アンテナ制御部１７、及び付属アンテナ１８の詳細な構成を示す図である。
【図４】アンテナ基板１９の主要な寸法を示す図である。
【図５】実施の形態１における第１可変リアクタンス素子２０、及び第２可変リアクタンス素子２１へ供給する制御電圧に対するリアクタンス値、及び入力インピーダンス値を示す図である。
【図６】図６（ａ）は、テレビ放送の受信時以外のアンテナ部１６の詳細な構造の断面の一例を示す図である。
【００６５】
図６（ｂ）は、テレビ放送の受信時のアンテナ部１６の詳細な構造の断面の一例を示す図である。
【図７】本発明の実施の形態１のテレビ放送受信システムにおいて、テレビ受像機の電源がＯＮ、ＯＦＦする時のアンテナ部等の動作の手順を示す図である。
【図８】図８（ａ）は、テレビ放送の受信時以外のアンテナ部１６の詳細な構造の断面の他の一例を示す図である。
【００６６】
図８（ｂ）は、テレビ放送の受信時のアンテナ部１６の詳細な構造の断面の他の一例を示す図である。
【図９】図９（ａ）は、テレビ放送の受信時以外のアンテナ部４１の詳細な構造の一例を示す図である。
【００６７】
図９（ｂ）は、テレビ放送の受信時のアンテナ部４１の詳細な構造の一例を示す図である。
【図１０】図１０（ａ）は、アンテナ収納時のアンテナ部５１の構造の一例を示す図である。  図１０（ｂ）は、アンテナ設置時のアンテナ部５１の構造の一例を示す図である。
【図１１】本発明の実施の形態３のテレビ放送受信システムにおいて、持ち運びなどの際のアンテナ部等の動作の手順を示す図である。
【図１２】図１２（ａ）は、アンテナ収納時のアンテナ部６１の構造の一例を示す図である。
【００６８】
図１２（ｂ）は、アンテナ設置時のアンテナ部６１の構造の一例を示す図である。
【符号の説明】
【００６９】
１１    操作部
１２    受信部
１３    表示部
１４    冷却部
１５    送風部
１６    アンテナ部
１７    アンテナ制御部
１８    付属アンテナ
１９    アンテナ基板
２０    第１可変リアクタンス素子
２１    第２可変リアクタンス素子
２２    誘電体基板
２３    矩形接地導体
２４    マイクロストリップ線路
２５    マイクロストリップ線路
２６    マイクロストリップ線路
２７    給電素子
２８    無給電素子
２９    無給電素子
３０    低雑音増幅器
３１    ダウンコンバータ
３２    Ａ／Ｄ変換器
３３    アンテナコントローラ
３４    同軸ケーブル
３５    第１ペアケーブル
３６    第２ペアケーブル
３７    バルーン
３８    バルーン
３９    外郭
４１    アンテナ部
４２    ファン
５１    アンテナ部
５２    オブジェ部
５３    ガス充填部
５４    ガス管
６１    アンテナ部
６２    オブジェ部
６３    送風管
【図１】
2005244888.tif 000003
【図２】
2005244888.tif 000004
【図３】
2005244888.tif 000005
【図４】
2005244888.tif 000006
【図５】
2005244888.tif 000007
【図６】
2005244888.tif 000008
【図７】
2005244888.tif 000009
【図８】
2005244888.tif 000010
【図９】
2005244888.tif 000011
【図１０】
2005244888.tif 000012
【図１１】
2005244888.tif 000013
【図１２】
2005244888.tif 000014